(57)【要約】【課題】ケーブルの導体及びグランド部に対してそれぞれ確実に端子部を接触させて良好な接続状態及び接地状態を得ることが可能なケーブル用コネクタを提供する。【解決手段】ケーブル収容部２１に挿入されるケーブルの電極と接触されるコンタクト端子部６２と、ケーブル収容部２１に挿入されるケーブルのグランド層に接触されるグランド端子部４７と、コネクタ本体２０に対して回動可能に設けられ、ケーブル収容部２１にケーブルが挿入された状態で所定方向へ回動されることにより、ケーブルをコンタクト端子部６２側へ加圧するアクチュエータ部材３０と、コネクタ本体２０に取り付けられたシェルとを有し、グランド端子部４７は、アクチュエータ部材３０によって加圧されるケーブルの加圧面と同一面側に配置されている。【選択図】図８
2011171097.tif 000002
【特許請求の範囲】
【請求項１】
導体とグランド部とを有するケーブルの端部が挿入されるケーブル収容部を備えたコネクタ本体と、
前記コネクタ本体に設けられ、前記ケーブル収容部に挿入される前記ケーブルの前記導体と接触されるコンタクト端子部と、
前記コネクタ本体に設けられ、前記ケーブル収容部に挿入される前記ケーブルの前記グランド部に接触されるグランド端子部と、
前記コネクタ本体に対して回動可能に設けられ、前記ケーブル収容部に前記ケーブルが挿入された状態で所定方向へ回動されることにより、前記ケーブルを前記コンタクト端子部側へ加圧するアクチュエータ部材と、
前記コネクタ本体に取り付けられたシェルとを有し、
前記グランド端子部は、前記アクチュエータ部材によって加圧される前記ケーブルの加圧面と同一面側に配置されていることを特徴とするケーブル用コネクタ。
【請求項２】
請求項１に記載のケーブル用コネクタであって、
前記グランド端子部は、前記アクチュエータ部材による前記ケーブルの加圧箇所に対して、前記ケーブル収容部への前記ケーブルの挿入方向前方側で前記グランド部に接触されることを特徴とするケーブル用コネクタ。
【請求項３】
請求項１または２に記載のケーブル用コネクタであって、
前記グランド端子部は、前記シェルに対して一体に形成されていることを特徴とするケーブル用コネクタ。
【請求項４】
請求項１または２に記載のケーブル用コネクタであって、
前記グランド端子部は、前記シェルとは別体であることを特徴とするケーブル用コネクタ。
【発明の詳細な説明】
【技術分野】
【０００１】
本発明は、ケーブルの一端を配線基板に電気的に接続するケーブル用コネクタに関する。
【背景技術】
【０００２】
電子機器内部における電装部品相互間の電気的接続を行うにあたり、ケーブル用コネクタが実用に供されている。ケーブル用コネクタは、例えば、フラットケーブル（ＦＦＣ：Flexible Flat Cable）、または、フレキシブル配線基板（ＦＰＣ：Flexible Printed Circuit）を介してプリント配線基板に電装品を電気的に接続するものである。ケーブル用コネクタは、ケーブルの固定方法が互いに異なる、例えば、ロータリ式あるいはスライド式が実用に供されている。
【０００３】
ロータリ式のケーブル用コネクタとしては、ケーブルを挿入する挿入口を備えるハウジングと、ハウジングに装填され、ケーブルの信号線と電気的に接続するコンタクト片、及び、挿入口と反対側に突出するテール部を備える端子と、ケーブルを挿入可能な第１位置と挿入されたケーブルをコンタクト片に押付ける第２位置との間を姿勢変化可能であって、第２位置において、ケーブルをコンタクト片に押付ける押圧部、及び、第２位置において、ケーブルの挿入方向とほぼ平行となる本体部を備えるアクチュエータと、ハウジングの挿入口側の端部に装填され、信号線とコンタクト片とが接続する位置よりもケーブルを挿入する方向に関する手前側において、ケーブルのグランド層と電気的に接続する端子部を備える接地用導電部材とを有するものが知られている（例えば、特許文献１参照）。
【先行技術文献】
【特許文献】
【０００４】
【特許文献１】特開２００６−７３２０６号公報
【発明の概要】
【発明が解決しようとする課題】
【０００５】
ところで、上記構造のケーブル用コネクタは、ケーブルのグランド層と電気的に接続する端子部を備えた接地用導電部材が、信号線のコンタクト片と同一側、つまり、アクチュエータによるケーブルへの加圧側と反対側に設けられている。したがって、アクチュエータは、コンタクト片及び接地用導電部材から加圧方向と反対方向へ向かう付勢力を受けることとなる。アクチュエータがケーブルを加圧する位置はコンタクト片に対応した位置であるが、接地用導電部材はアクチュエータによる加圧位置とは異なる位置でケーブルに接触する。このため、接地用導電部材とケーブルとの接触位置ではアクチュエータがケーブルを加圧する力が小さくなってケーブルのグランド層に対する接地用導電部材の接触が不安定となり、良好な接地状態が得られなくなるおそれがあった。
【０００６】
本発明の目的は、ケーブルの導体及びグランド部に対してそれぞれ確実に端子部を接触させて良好な接続状態及び接地状態を得ることが可能なケーブル用コネクタを提供することにある。
【課題を解決するための手段】
【０００７】
上記課題を解決することのできる本発明のケーブル用コネクタは、導体とグランド部とを有するケーブルの端部が挿入されるケーブル収容部を備えたコネクタ本体と、
前記コネクタ本体に設けられ、前記ケーブル収容部に挿入される前記ケーブルの前記導体と接触されるコンタクト端子部と、
前記コネクタ本体に設けられ、前記ケーブル収容部に挿入される前記ケーブルの前記グランド部に接触されるグランド端子部と、
前記コネクタ本体に対して回動可能に設けられ、前記ケーブル収容部に前記ケーブルが挿入された状態で所定方向へ回動されることにより、前記ケーブルを前記コンタクト端子部側へ加圧するアクチュエータ部材と、
前記コネクタ本体に取り付けられたシェルとを有し、
前記グランド端子部は、前記アクチュエータ部材によって加圧される前記ケーブルの加圧面と同一面側に配置されていることを特徴とする。
【０００８】
本発明のケーブル用コネクタにおいて、前記グランド端子部は、前記アクチュエータ部材による前記ケーブルの加圧箇所に対して、前記ケーブル収容部への前記ケーブルの挿入方向前方側で前記グランド部に接触されることが好ましい。
【０００９】
本発明のケーブル用コネクタにおいて、前記グランド端子部は、前記シェルに対して一体に形成されていることが好ましい。
【００１０】
本発明のケーブル用コネクタにおいて、前記グランド端子部は、前記シェルとは別体であることが好ましい。
【発明の効果】
【００１１】
本発明に係るケーブル用コネクタによれば、アクチュエータ部材によってコンタクト端子部側へ加圧されるケーブルの加圧面と同一面側にグランド端子部が配置されているので、アクチュエータ部材による加圧力がグランド端子部によって小さくされることがない。また、グランド端子部はアクチュエータ部材の加圧力によりケーブルに接触するものではないので、アクチュエータ部材の変位に影響されることなく、ケーブルのグランド部に対するグランド端子部の接触を常に安定な状態とすることができる。よって、良好な接続状態及び接地状態を維持することができる。
【図面の簡単な説明】
【００１２】
【図１】本発明に係るケーブル用コネクタの一例における外観を示す斜視図である。
【図２】図１のケーブル用コネクタの正面図である。
【図３】図１のケーブル用コネクタの後方側から見た斜視図である。
【図４】図１のケーブル用コネクタの分解斜視図である。
【図５】ケーブル用コネクタに接続されるケーブルの断面図である。
【図６】（ａ）は図２におけるケーブル用コネクタのＡ−Ａ断面図であり、（ｂ）は図２におけるＡ−Ａ断面で見たケーブル用コネクタの後方側から見た斜視図である。
【図７】シェルの裏面側から見た斜視図である。
【図８】（ａ）は図２におけるケーブル用コネクタのＢ−Ｂ断面図であり、（ｂ）は図２におけるＢ−Ｂ断面で見たケーブル用コネクタの後方側から見た斜視図である。
【図９】ケーブル収容部にケーブルを挿入した状態のケーブル用コネクタの斜視図である。
【図１０】ケーブル収容部にケーブルを挿入した状態での図２におけるＡ−Ａ断面図である。
【図１１】ケーブル収容部にケーブルを挿入した状態での図２におけるＢ−Ｂ断面図である。
【図１２】アクチュエータ部材をロック位置に配置した状態のケーブル用コネクタの斜視図である。
【図１３】アクチュエータ部材をロック位置に配置した状態での図２におけるＡ−Ａ断面図である。
【図１４】アクチュエータ部材をロック位置に配置した状態での図２におけるＢ−Ｂ断面図である。
【図１５】本発明に係るケーブル用コネクタの変形例を示す斜視図である。
【図１６】図１５のケーブル用コネクタの分解斜視図である。
【図１７】本発明に係るケーブル用コネクタの他の実施形態例を示す斜視図である。
【図１８】図１７のケーブル用コネクタの分解斜視図である。
【発明を実施するための形態】
【００１３】
以下、本発明に係るケーブル用コネクタの実施の形態の例を、図面を参照して説明する。
【００１４】
図１から図４に示すように、ケーブル用コネクタ１０は、例えば、液晶テレビなどの配線用のケーブルが接続されるものであり、電装品等のプリント配線基板１に実装される。このケーブル用コネクタ１０は、コネクタ本体２０と、アクチュエータ部材３０と、シェル４０とを備えている。
【００１５】
コネクタ本体２０は、例えば、硬質の樹脂から成形されたものであり、このコネクタ本体２０には、ケーブル５０が挿入されるケーブル収容部２１が幅方向に沿って形成されている。
【００１６】
コネクタ本体２０のケーブル収容部２１に挿入されるケーブル５０は、例えば、フラットケーブルやフレキシブル配線基板からなるものである。本例では、フレキシブル配線基板からなるケーブル５０を用いる場合について説明する。
【００１７】
フレキシブル配線基板は、例えば、図５に示すように、保護層に覆われた複数の導電層５１が絶縁性基材５２上に形成された構成とされる。なお、図５ではケーブル５０の端部近傍のみを図示し、長尺に延びた左方を省略して示している。絶縁性基材５２は、例えば、厚さ５０μｍ程度のガラスエポキシ樹脂、ポリイミド（ＰＩ）、ポリエチレンテレフタレート（ＰＥＴ）、あるいは、ポリエーテルイミド（ＰＥＩ）からなる群の中から適宜選択される一つの材料で成形されている。また、導電層５１は、例えば、厚さ１２μｍ程度の銅合金の層で形成されている。保護層は、例えば、熱硬化型のレジスト層、あるいは、ポリイミドフィルムにより形成されている。
【００１８】
フレキシブル配線基板からなるケーブル５０において接続される一端の一方の表面には、板状の裏板５３が設けられている。裏板５３は、例えば、ポリエチレンテレフタレート（ＰＥＴ）で所定の厚さに作られている。なお、裏板５３は、ケーブル５０の着脱を容易にするために操作部を有していてもよい。
【００１９】
ケーブル５０の一端には、裏板５３の下面に、例えば、端子部としての複数個（例えば、５０〜８０）の幅０．３ｍｍの電極（導体）５４が並列して形成されている。隣接する各電極５４は、例えば、約０．５ｍｍの相互間隔で形成されている。電極５４は、ケーブル５０の内部の導電層５１に電気的に接続されている。
【００２０】
また、裏板５３には、電極５４が形成された面と反対の面である上面に、例えば、金属箔からなるグランド層（グランド部）５５が設けられている。
【００２１】
図１及び図２に示すように、コネクタ本体２０のケーブル収容部２１は、一端側が挿入口２２とされており、この挿入口２２から電極５４及びグランド層５５が設けられたケーブル５０の端部の裏板５３が挿入される。また、コネクタ本体２０の両側部の側壁部２３には、挿入口２２側に、ケーブル５０の裏板５３の側部を案内する案内溝２４が形成されている。
【００２２】
図６に示すように、コネクタ本体２０の背面側には、複数のスリット２５が形成されており、これらスリット２５には、コネクタ本体２０の背面側からコンタクト端子６０が圧入される。スリット２５は、所定の相互間隔でコネクタ本体２０の幅方向に沿って形成され、ケーブル収容部２１内に連通している。スリット２５は、ケーブル収容部２１側に向かう前方で、上部スリット２５ａと下部スリット２５ｂに分岐されている。
【００２３】
スリット２５に圧入されるコンタクト端子６０は、半田付固定により、プリント配線基板１の導電層としての電極パッドに電気的に接続される半田付固定部６１と、下部スリット２５ｂに挿入され、ケーブル５０の電極５４に接触されて電気的に接続されるコンタクト端子部６２と、上部スリット２５ａに圧入され、アクチュエータ部材３０の後述する挿通孔３２に挿入される固定部６３とを有している。また、コンタクト端子部６２は、その先端に、上方へ突出する接点６２ａを有している。
【００２４】
このコンタクト端子６０は、例えば、銅などの導電性の薄板金属材料で形成されたものであり、コンタクト端子部６２と固定部６３とが二股状に形成されている。なお、コンタクト端子６０は、ステンレススチールからなる薄板金属材料で形成し、表面に銅メッキを施したものであっても良い。
【００２５】
コネクタ本体２０に取り付けられるシェル４０は、例えば、銅などの導電性の薄板金属材料を折り曲げ加工することにより形成されたものであり、図７に示すように、コネクタ本体２０の両側部の側壁部２３を覆うように装着されるカバー部４１と、コネクタ本体２０の幅方向に延在してカバー部４１同士を連結する連結部４２とを有している。
【００２６】
シェル４０には、それぞれのカバー部４１に、半田付固定により、プリント配線基板１のグランドパターンである導電層としての電極パッドに電気的に接続される半田付固定部４３が形成されている。
【００２７】
このシェル４０には、コネクタ本体２０に対して、その背面側から前方側へ向かって延在されたグランド端子４５が一体に形成されている。そして、このシェル４０をコネクタ本体２０に装着することにより、ケーブル用コネクタ１０の良好なシールド効果が得られる。また、このシェル４０をコネクタ本体２０に取り付けることによって、グランド端子４５がコネクタ本体２０に装着される。
【００２８】
アクチュエータ部材３０は、例えば、硬質の樹脂で成形されたものであり、その両端部には、支持軸３１（図４参照）が形成されている。これら支持軸３１は、コネクタ本体２０の側壁部２３に形成された切欠部２７内に配置されている。
【００２９】
これら切欠部２７内に支持軸３１を配置させた状態で、コネクタ本体２０に対してシェル４０を取り付けると、切欠部２７の上面がシェル４０のカバー４１によって覆われる。これにより、アクチュエータ部材３０の支持軸３１が切欠部２７内に保持され、よって、アクチュエータ部材３０が支持軸３１を中心として回動可能にコネクタ本体２０に取り付けられる。
【００３０】
そして、このアクチュエータ部材３０は、コネクタ本体２０に対して、後方側へ傾いたロック解除位置と、コネクタ本体２０に対して前方側へ略水平に配置されたロック位置との間で回動される。
【００３１】
アクチュエータ部材３０の中間部分には、コネクタ本体２０の各スリット２５に対向する複数の挿通孔３２が長手方向に沿って形成されている。これら挿通孔３２には、アクチュエータ部材３０がロック解除位置に配置された際に、コンタクト端子６０の固定部６３の先端側が挿通される。
【００３２】
図６に示すように、アクチュエータ部材３０の回動中心側の端部は、押圧部３３とされている。この押圧部３３は、アクチュエータ部材３０がロック位置に配置されたロック状態のときにケーブル５０の裏板５３を押圧する押圧面部３３ａと、アクチュエータ部材３０を回動させることにより、コンタクト端子６０の固定部６３と接して摺動する摺動面部３３ｂと、この摺動面部３３ｂの対向側に形成された突条部３３ｃとを有している。なお、図６（ｂ）では、アクチュエータ部材３０を回動させて下げた状態を示している。
【００３３】
アクチュエータ部材３０は、ロック解除位置において、ケーブル収容部２１の挿入口２２を開放する。したがって、この状態において、ケーブル用コネクタ１０のケーブル収容部２１に対してケーブル５０の挿抜が可能とされる。
【００３４】
また、アクチュエータ部材３０は、ロック位置において、ケーブル収容部２１に挿入されたケーブル５０に対して、その上面側から押圧部３３を加圧する。
【００３５】
図８に示すように、シェル４０に一体に形成されたグランド端子４５は、シェル４０をコネクタ本体２０に装着する際に、コネクタ本体２０の背面側に形成されたグランド端子用スリット２６に挿入される。シェル４０に一体に形成されたグランド端子４５は、コネクタ本体２０に形成された係合溝２８に係合する係合部４６と、この係合部４６から延在するグランド端子部４７とを有している。なお、図８（ｂ）では、アクチュエータ部材３０を回動させて下げた状態を示している。
【００３６】
グランド端子部４７は、係合部４６から上方へ延び、さらに、ケーブル収容部２１へのケーブル５０の挿入方向と逆方向であるコネクタ本体２０の前方側へ向かって、斜め下方へ延在されており、その端部には、下方側へ突出する接点４７ａが形成されている。
【００３７】
なお、グランド端子４５を有するシェル４０は、ステンレススチールからなる薄板金属材料で形成し、表面に銅メッキを施したものであっても良い。
【００３８】
このグランド端子４５のグランド端子部４７は、アクチュエータ部材３０によって加圧されるケーブル５０の上面である加圧面と同一面側に配置されている。また、グランド端子４５のグランド端子部４７は、アクチュエータ部材３０によるケーブル５０の加圧箇所に対して、ケーブル収容部２１へのケーブル５０の挿入方向前方側に設けられている。なお、挿入方向前方側とは、ケーブル収容部２１の奥側であり、図８（ａ）における右側を指す。
【００３９】
このような構成のケーブル用コネクタ１０のケーブル収容部２１へケーブル５０を挿入すると、グランド端子４５のグランド端子部４７の接点４７ａが、ケーブル５０のグランド層５５に対して、アクチュエータ部材３０によって加圧されるケーブル５０の上面である加圧面と同一面側で、かつ、アクチュエータ部材３０による加圧箇所よりもケーブル収容部２１へのケーブル５０の挿入方向前方側で接触されるようになっている。
【００４０】
次に、上記構成のケーブル用コネクタ１０に対してケーブル５０を接続する際の動作について説明する。
【００４１】
ケーブル用コネクタ１０に対してケーブル５０を接続する場合、まず、ケーブル用コネクタ１０のアクチュエータ部材３０をロック解除位置（図１のように上に回動させた状態）に配置させておく。
【００４２】
この状態で、図９に示すように、挿入口２２からケーブル５０の端部をケーブル収容部２１へ挿入する。なお、図９ではケーブル５０の端部のみを図示し、左手前側に延びる部分の図示を省略している。
【００４３】
ケーブル５０の端部をケーブル収容部２１へ挿入すると、図１０に示すように、ケーブル５０の裏板５３は、各コンタクト端子６０のコンタクト端子部６２とアクチュエータ部材３０の押圧部３３との間に配置され、コンタクト端子部６２の接点６２ａが裏板５３の各電極５４に接触して導通する。
【００４４】
また、図１１に示すように、ケーブル５０の裏板５３がグランド端子４５のグランド端子部４７の下方側に入り込み、このグランド端子部４７の接点４７ａが裏板５３のグランド層５５に接触して導通する。
【００４５】
この状態で、ロック解除位置に配置されたアクチュエータ部材３０をケーブル用コネクタ１０の前方側へ引き起こす。
【００４６】
すると、アクチュエータ部材３０は、その摺接面部３３ｂがコンタクト端子５０の固定部６３に摺接されて案内されながら回動され、この回動に伴って、アクチュエータ部材３０の押圧部３３がケーブル５０の上面に当接される。これにより、ケーブル５０は、アクチュエータ部材３０の押圧部３３によって、コンタクト端子６０のコンタクト端子部６２が設けられた下方側へ次第に押圧される。
【００４７】
アクチュエータ部材３０がさらに回動されると、ケーブル５０の上面に突条部３３ｃが接触する。
【００４８】
その後、アクチュエータ部材３０がさらに回動され、ケーブル５０の上面に対する突条部３３ｃの接触箇所がアクチュエータ部材３０の回動中心の軸線よりもケーブル用コネクタ１０の後方側となると、アクチュエータ部材３０には、突条部３３ｃによって受けるケーブル５０からの反力によってロック位置へ向かう回転力が生じる。これにより、アクチュエータ部材３０は、図１２に示すように、ロック位置へ配置され、押圧面部３３ａがケーブル５０の上面に当接する。
【００４９】
これにより、ケーブル５０は、図１３に示すように、その上面が、アクチュエータ部材３０の押圧面部３３ａによってコンタクト端子６０のコンタクト端子部６２側へ向かって加圧されて保持される。したがって、ケーブル５０は、裏板５３の電極５４がコンタクト端子６０のコンタクト端子部６２の接点６２ａに押し付けられ、確実に導通した状態に接触される。
【００５０】
また、図１４に示すように、ケーブル５０の裏板５３の上面に設けられたグランド層５５には、アクチュエータ部材３０によって加圧されるケーブル５０の上面である加圧面と同一面側に配置されたグランド端子４５のグランド端子部４７の接点４７ａが確実に導通した状態に接触される。
【００５１】
なお、接続状態にあるケーブル５０をケーブル用コネクタ１０から取り外すにあたっては、ロック位置に配置されたアクチュエータ部材３０を引き起こしロック解除位置へ回動させれば良い。
【００５２】
このようにすると、アクチュエータ部材３０によるケーブル５０の加圧が解除されるとともに、コネクタ本体２０のケーブル収容部２１が開放され、よって、ケーブル５０を、ケーブル用コネクタ１０から容易に取り外すことができる。
【００５３】
このように、上記実施形態に係るケーブル用コネクタ１０によれば、アクチュエータ部材３０によってコンタクト端子部６２側へ加圧されるケーブル５０の加圧面と同一面側にグランド端子４５のグランド端子部４７が配置されているので、アクチュエータ部材３０による加圧力がグランド端子部４７によって付勢されて小さくされることがない。また、グランド端子部４７はアクチュエータ部材３０の加圧力によりケーブル５０への接触状態を維持するものではない。従って、アクチュエータ部材３０の変位に影響されることなく、ケーブル５０のグランド層５５に対するグランド端子部４７の接点４７ａの接触を常に安定な状態とすることができる。よって、ケーブル５０の良好な接続状態及び接地状態を維持することができる。
【００５４】
特に、グランド端子部４７が、アクチュエータ部材３０によるケーブル５０の加圧箇所に対して、ケーブル収容部２１へのケーブル５０の挿入方向前方側でグランド層５５に接触される構造である。このため、ケーブル５０の先端側がグランド端子４５のグランド端子部４７によってアクチュエータ３０による加圧方向と同一方向へ押し付けられる。
【００５５】
これにより、ケーブル５０のグランド層５５とグランド端子部４７の接点４７ａとの接触状態をさらに良好に維持することができる。しかも、ケーブル５０の浮き上がりを抑制してケーブル５０の電極５４とコンタクト端子６０のコンタクト端子部６２の接点６２ａとの接触状態を良好に維持させることができる。
【００５６】
また、アクチュエータ部材３０によるケーブル５０の加圧箇所に対して、ケーブル収容部２１へのケーブル５０の挿入方向後方側にグランド端子部４７を設ける構造と比較して、コネクタ本体２０のケーブル５０の挿入方向の長さを短くして小型化及び軽量化を図ることができる。
【００５７】
しかも、グランド端子部４７がシェル４０に対して一体に形成されているので、部品点数を減らすことができ、組立工数の削減及び部品管理の簡略化を図ることができる。
【００５８】
また、グランド端子４５のグランド端子部４７は、ケーブル収容部２１へのケーブル５０の挿入方向と逆方向であるコネクタ本体２０の前方側へ向かって延在されているので、ケーブル５０を迎え入れる形状となり、ケーブル収容部２１に挿入されるケーブル５０のグランド層５５に対するグランド端子部４７の接触力を大きくしやすく、さらに、良好な接触状態を得ることができる。
【００５９】
なお、上記実施形態では、二つのカバー部４１が連結部４２によって連結されたシェル４０を用いたが、図１５及び図１６に示すように、二つのカバー部４１がそれぞれ分離していても良い。
【００６０】
また、上記実施形態では、シェル４０に対して、グランド端子部４７を有するグランド端子４５を一体に形成したが、グランド端子４５は、シェル４０とは別体であっても良い。
【００６１】
図１７及び図１８に示すように、このケーブル用コネクタ１０Ａでは、ピン状に形成された一対のシェル４０Ａと、これらのシェル４０Ａとは別体のグランド端子部４７を有するグランド端子４５Ａとを備えている。
【００６２】
シェル４０Ａには、半田付固定により、プリント配線基板１のグランドパターンである導電層としての電極パッドに電気的に接続される半田付固定部４３が形成されている。これらのシェル４０Ａは、コネクタ本体２０に形成された係合スリット２９に差し込まれることにより、コネクタ本体２０に取り付けられる。
【００６３】
また、シェル４０Ａと別体のグランド端子部４７を有するグランド端子４５Ａは、半田付固定により、プリント配線基板１のグランドパターンである導電層としての電極パッドに電気的に接続される半田付固定部４８が形成されている。これらのグランド端子４５Ａは、コネクタ本体２０の背面側に形成されたグランド端子用スリット２６に挿入されてコネクタ本体２０に装着される。
【００６４】
そして、このように、シェル４０Ａとは別体のグランド端子４５Ａを備えたケーブル用コネクタ１０Ａによれば、シェル４０Ａ及びグランド端子部４７を有するグランド端子４５Ａの構造の簡略化を図ることができ、製造コストを低減させることができる。
【００６５】
なお、上記実施形態では、フレキシブル配線基板（ＦＰＣ）からなるケーブル５０を用いる場合を例示して説明したが、ケーブル５０としては、フレキシブル配線基板に限らず、複数の導体を並列に配置させて外被によって一体化させたフラットケーブル（ＦＦＣ）等であっても良い。
【符号の説明】
【００６６】
１０，１０Ａ：ケーブル用コネクタ、２０：コネクタ本体、２１：ケーブル収容部、３０：アクチュエータ部材、４０，４０Ａ：シェル、４７：グランド端子部、５０：ケーブル、５４：電極（導体）、５５：グランド層（グランド部）、６２：コンタクト端子部
【図１】
2011171097.tif 000003
【図２】
2011171097.tif 000004
【図３】
2011171097.tif 000005
【図４】
2011171097.tif 000006
【図５】
2011171097.tif 000007
【図６】
2011171097.tif 000008
【図７】
2011171097.tif 000009
【図８】
2011171097.tif 000010
【図９】
2011171097.tif 000011
【図１０】
2011171097.tif 000012
【図１１】
2011171097.tif 000013
【図１２】
2011171097.tif 000014
【図１３】
2011171097.tif 000015
【図１４】
2011171097.tif 000016
【図１５】
2011171097.tif 000017
【図１６】
2011171097.tif 000018
【図１７】
2011171097.tif 000019
【図１８】
2011171097.tif 000020